(57)【要約】【課題】トラクタ用のプラウ装置を提供する。【解決手段】本発明は、複数の犂体部がバランスよく配置されて大面積の耕作地を効率よく犂耕することができ、犂耕作業時に圃場土が片寄らないため連続的な作業を行うことのできるトラクタ用のプラウ装置に係り、前方にトラクタと連結されて牽引されるトラクタ連結部を有するメインフレームと、前記メインフレームに配設されてそれぞれシェアとはつ土板を有する複数の犂体部と、を備えるトラクタ用のプラウ装置において、前記複数の犂体部のそれぞれは前記メインフレームの前後長手方向に沿って側面に斜めに配置され、前記複数の犂体部のうち最前方の犂体部は前記メインフレームの前端から突出され、前記メインフレームを眺める方向にシェアとはつ土板が形成され、前記複数の犂体部のうち最前方の犂体部を除く残りの犂体部は前記最前方の犂体部とは逆方向にシェアとはつ土板が形成されたことを特徴とする。【選択図】図１
2010099071.tif 000002
【特許請求の範囲】
【請求項１】
前方にトラクタと連結されて牽引されるトラクタ連結部を有するメインフレームと、前記メインフレームに配設されてそれぞれシェアとはつ土板を有する複数の犂体部と、を備えるトラクタ用のプラウ装置において、
前記複数の犂体部のそれぞれは前記メインフレームの前後長手方向に沿って側面に斜めに配置され、前記複数の犂体部のうち最前方の犂体部は前記メインフレームの前端から突出され、前記メインフレームを眺める方向にシェアとはつ土板が形成されたことを特徴とするトラクタ用のプラウ装置。
【請求項２】
前記複数の犂体部のうち最前方の犂体部を除く残りの犂体部は、前記最前方の犂体部とは逆方向にシェアとはつ土板が形成されたことを特徴とする請求項１に記載のトラクタ用のプラウ装置。
【請求項３】
前方にトラクタと連結されて牽引されるトラクタ連結部を有するメインフレームと、前記メインフレームに回動自在に配設される複数の犂体部と、前記犂体部のそれぞれを上下回動させる複数の駆動シリンダと、を備えることを特徴とするトラクタ用のプラウ装置。
【請求項４】
一方の端が前記メインフレームに固設され、他方の端にピストンロッドが内外に挿抜されるようにスライド自在に装着された緩衝シリンダと、前記駆動シリンダと緩衝シリンダを連結して油圧を移動させる油圧ラインと、を備えることを特徴とする請求項３に記載のトラクタ用のプラウ装置。
【請求項５】
一方の端が前記メインフレームに固設され、他方の端が前記ピストンロッドの先端と連結されて前記ピストンロッドのスライド作動に応じて伸縮する緩衝バネを備えることを特徴とする請求項４に記載のトラクタ用のプラウ装置。
【請求項６】
前記緩衝バネは一対が備えられ、前記緩衝シリンダの左右に平行に配列されたことを特徴とする請求項５に記載のトラクタ用のプラウ装置。
【請求項７】
前記緩衝シリンダのピストンロッド先端と前記緩衝バネの他方の端を連結する連結ロッドを備えることを特徴とする請求項６に記載のトラクタ用のプラウ装置。
【請求項８】
前記メインフレームに配設され、前記連結ロッドの両端をスライド自在にガイドするガイドレールを備えることを特徴とする請求項７に記載のトラクタ用のプラウ装置。
【請求項９】
前記緩衝シリンダの内側にバネが備えられたことを特徴とする請求項５に記載のトラクタ用のプラウ装置。
【請求項１０】
前方にトラクタと連結されて牽引されるトラクタ連結部を有するメインフレームと、前記メインフレームに配設された犂体部と、を備えるトラクタ用のプラウ装置において、
前記メインフレームの一方の側に回動自在に配設される第１支持リンクと、前記第１支持リンクの下端に回転自在に配設される第１車輪と、一方の端が前記メインフレームにヒンジ結合され、他方の端が前記第１支持リンクの上端にヒンジ結合されて前記第１支持リンクを回動させる第１シリンダと、を備えてなることを特徴とするトラクタ用のプラウ装置。
【請求項１１】
前記メインフレームの他方の側に回動自在に配設される第２支持リンクと、前記第２支持リンクの下端に回転自在に配設される第２車輪と、一方の端が前記メインフレームにピン結合され、他方の端が前記第２支持リンクの上端にピン結合されて前記第２支持リンクを回動させる第２シリンダと、をさらに備えることを特徴とする請求項１０に記載のトラクタ用のプラウ装置。
【請求項１２】
前記メインフレームの他方の側に回動自在に配設される第２支持リンクと、前記第２支持リンクの下端に回転自在に配設される第２車輪と、一方の端が前記第１支持リンクの上端にピン結合され、他方の端が前記第２支持リンクの上端にピン結合される連結リンクと、をさらに備えることを特徴とする請求項１０に記載のトラクタ用のプラウ装置。
【発明の詳細な説明】
【技術分野】
【０００１】
本発明は複数の犂体部がバランスよく配置されて大面積の耕作地を効率よく犂耕することができ、犂耕作業時に土が片寄らないため連続的な作業を行うことができ、且つ、複数の犂体部のいずれかへの岩石による過負荷発生時に衝撃を緩和させて装置の破損防止及び作業能率の向上を両立させることができると共に、ユーザーの選択に応じて容易に犂体部の作業深さを調節することができて連続作業を行うことができ、その結果、作業能率が向上可能なトラクタ用のプラウ装置に関する。
【背景技術】
【０００２】
一般的に、プラウは、作物を栽培する目的で牛馬などの家畜や機械などを用いて圃場土を掘り起こし、反転させて畦立て作業を行うのに使用するものである。
【０００３】
特に、トラクタなどの機械に装着されるプラウ装置は、所定の形状のメインフレームにシェアとはつ土板からなる犂体部が上下回動自在に配設されて、トラクタが土中を前進すると、これと連結されたメインフレーム及び犂体部が牽引されながら圃場土を堀り起こして犂耕作業を行うことができる。
【０００４】
上述したように、従来のトラクタ用のプラウ装置は、トラクタの大きさや馬力に応じて複数の犂体部を有する多連プラウ装置から構成されてもよい。普通、トラクタ用のプラウ装置は、犂体部が３以上の複数に備えられており、それぞれの犂体部がメインフレームに対して左右一列にまたは千鳥状に配設されてもよい。
【０００５】
かような従来のトラクタ用のプラウ装置は、犂耕作業時に、複数の犂体部が土中に掘り込まれた後、トラクタで牽引されて犂耕作業を行うことになり、複数の犂体部が左右一列に配設された場合には、それぞれの犂体部が圃場土を掘り起こすときに発生する側力が大きくなるため千鳥状に配設して犂体部に発生する側力を分散させることができる。しかしながら、大面積の圃場の場合には複数の犂体部を千鳥状に配設するとしても、後方にのみ犂体部が形成されて重心が後方に偏ってしまい、前方への直線方向に対する牽引が決して容易ではないという不都合がある。
【０００６】
また、土中に埋め込まれた岩石に犂体部がぶつかるといった予期しない状況が発生することがあるが、このとき、犂体部が単にメインフレームに固設されている場合には岩石による衝撃力をそのまま伝達されて犂体部が破損されたり変形されて畦の形状を崩したり装置全体の故障を発生させるという問題がある。
【０００７】
さらに、犂耕作業時に下部リンクを下降させて犂体部が土中に掘り込まれるとき、土質の状態や地帯の形態に応じて犂体部の作業深さ、すなわち、犂体部が土中に掘り込まれる深さを異ならせる必要がある。このとき、単にトラクタにプラウ装置が付設された場合にはユーザーがトラクタ及びプラウ装置の連結高さを調節して連結しなければならない。すなわち、犂体部の作業深さに応じてユーザーは犂体部が付設されたメインフレームの高さを調節するために結合解除及び再結合を手作業で繰り返し行わなければならないという煩雑さがある。すなわち、メインフレームの高さを調節するための反復的な結合解除及び再結合により作業能率が低下し、ユーザーの疲労度は増加され、装置の故障が激しくなるという不都合がある。
【発明の概要】
【発明が解決しようとする課題】
【０００８】
本発明は上記事情に鑑みてなされたものであり、その目的は、複数の犂体部がバランスよく配置されて大面積の圃場を効率よく犂耕することができ、犂耕作業時に圃場土が片寄らないため連続的な作業を行うことのできるトラクタ用のプラウ装置を提供するところにある。
【０００９】
本発明の他の目的は、複数の犂体部のいずれかへの岩石による過負荷発生時に衝撃を緩和させて装置の破損防止及び作業能率の向上を両立させることができ、簡単な構成を通じて複数の犂体部の全体をそれぞれ緩衝させることのできるトラクタ用のプラウ装置を提供するところにある。
【００１０】
本発明のさらに他の目的は、ユーザーの選択に応じて容易に犂体部の作業深さを調節することができて連続作業を行うことができ、その結果、作業能率を向上させることのできるトラクタ用のプラウ装置を提供するところにある。
【００１１】
本発明のその他の目的、特定の長所及び新規な特徴は添付図面と結び付けて行う下記の詳細な説明と好適な実施形態から一層明らかになる。
【課題を解決するための手段】
【００１２】
上述した目的を達成するために、本発明によるトラクタ用のプラウ装置は、前方にトラクタと連結されて牽引されるトラクタ連結部を有するメインフレームと、前記メインフレームに配設されてそれぞれシェアとはつ土板を有する複数の犂体部と、を備えるトラクタ用のプラウ装置において、前記複数の犂体部のそれぞれは前記メインフレームの前後長手方向に沿って側面に斜めに配置され、前記複数の犂体部のうち最前方の犂体部は前記メインフレームの前端から突出され、前記メインフレームを眺める方向にシェアとはつ土板が形成され、前記複数の犂体部のうち最前方の犂体部を除く残りの犂体部は前記最前方の犂体部とは逆方向にシェアとはつ土板が形成されることを特徴とする。 
【００１３】
本発明の他の目的を達成するために、本発明によるトラクタ用のプラウ装置は、前方にトラクタと連結されて牽引されるトラクタ連結部を有するメインフレームと、前記メインフレームに回動自在に配設される複数の犂体部と、前記犂体部のそれぞれを上下回動させる複数の駆動シリンダと、前記駆動シリンダのそれぞれを直線往復運動させるように油圧を提供する一対の油圧ラインと、を備える。
【００１４】
また、本発明によるトラクタ用のプラウ装置において、前記緩衝バネは一対が備えられ、前記緩衝シリンダの左右に平行に配列されていてもよい。
【００１５】
この場合、前記緩衝シリンダのピストンロッド先端と前記緩衝バネの他方の端を連結する連結ロッドと、前記メインフレームに配設され、前記連結ロッドの両端をスライド自在にガイドするガイドレールと、をさらに備えていてもよい。
【００１６】
本発明のさらに他の目的を達成するために、本発明によるトラクタ用のプラウ装置は、前方にトラクタと連結されて牽引されるトラクタ連結部を有するメインフレームと、前記メインフレームに配設された犂体部と、を備えるトラクタ用のプラウ装置において、前記メインフレームの一方の側に回動自在に配設される第１支持リンクと、前記第１支持リンクの下端に回転自在に配設される第１車輪と、一方の端が前記メインフレームにヒンジ結合され、他方の端が前記第１支持リンクの上端にヒンジ結合されて前記第１支持リンクを回動させる第１シリンダと、を備えてなる。
【００１７】
また、本発明によるトラクタ用のプラウ装置は、前記メインフレームの他方の側に回動自在に配設される第２支持リンクと、前記第２支持リンクの下端に回転自在に配設される第２車輪と、一方の端が前記メインフレームにピン結合され、他方の端が前記第２支持リンクの上端にピン結合されて前記第２支持リンクを回動させる第２シリンダと、をさらに備えることを特徴とする。
【００１８】
さらに、本発明によるトラクタ用のプラウ装置は、前記メインフレームの他方の側に回動自在に配設される第２支持リンクと、前記第２支持リンクの下端に回転自在に配設される第２車輪と、一方の端が前記第１支持リンクの上端にピン結合され、他方の端が前記第２支持リンクの上端にピン結合される連結リンクと、をさらに備えることを特徴とする。
【発明の効果】
【００１９】
本発明によるトラクタ用のプラウ装置は、メインフレームに複数の犂体部が斜めに配設され、複数の犂体部のうち最前方の犂体部がメインフレームの前端に突出されることにより、大面積の圃場を効率よく犂耕することができ、バランスよく配置された複数の犂体部により側力の分散及び牽引作業が容易になる。
【００２０】
また、複数の犂体部のうち最前方の犂体部と残りの犂体部のシェアとはつ土板が相対するように形成されて犂耕作業時に圃場土が片寄らないため連続的な作業を行うことができて作業能率を高めることができ、最前方の犂体部と残りの犂体部のシェアとはつ土板が一方向にも配設可能であるため圃場の端部における犂耕作業後に次の作業位置に圃場土が移行するため谷と畝が発生しないようにできる。
【００２１】
そして、緩衝シリンダ及び緩衝バネを配設して、複数の犂体部のいずれかへの岩石による過負荷発生時に衝撃を緩和させて装置の破損防止及び作業能率を高めることができ、簡単な構成を通じて複数の犂体部の全体をそれぞれ緩衝することができる。
【００２２】
さらに、車輪と結合された支持リンクをシリンダの駆動によって回動させることによりメインフレームの高さを調節してユーザーの選択に応じて容易に犂体部の作業深さを調節することができて連続的な作業を行うことができ、その結果、作業能率が高まる。
【図面の簡単な説明】
【００２３】
【図１】本発明によるトラクタ用のプラウ装置の好適な第１実施形態を示す斜視図。
【図２】図１の作動過程を示す平面図。
【図３】本発明の第２実施形態によるトラクタ用のプラウ装置を示す斜視図。
【図４】図３の各駆動シリンダ及び緩衝シリンダに油圧ラインが連結された状態を示す構成図。
【図５】第２実施形態の作動過程を示す構成図。
【図６】第２実施形態の作動過程を示す構成図。
【図７】第２実施形態の作動過程を示す構成図。
【図８】緩衝シリンダの他の形態を示す図。
【図９】本発明の第３実施形態によるトラクタ用のプラウ装置の斜視図。
【図１０】第３実施形態の作動過程を示す側面図。
【図１１】第３実施形態の作動過程を示す側面図。
【図１２】本発明の第３実施形態の変形例を示す斜視図。
【図１３】本発明の第３実施形態による別の変形例を示す斜視図。
【図１４】図１３の作動過程を示す側面図。
【図１５】図１３の作動過程を示す側面図。
【発明を実施するための形態】
【００２４】
以下、添付図面に基づき、本発明によるトラクタ用のプラウ装置の好適な実施形態を詳述する。
【００２５】
図１は、本発明によるトラクタ用のプラウ装置の好適な第１実施形態を示す斜視図であり、図２は、図１の作動過程を示す平面図である。
【００２６】
本発明のトラクタ用のプラウ装置は、図１に示すように、メインフレーム１００、犂体部２００を備え、前記犂体部２００は複数が備えられてそれぞれシェア２１０及びはつ土板２２０から構成される。
【００２７】
メインフレーム１００は、各種の構成要素と結合されて支持する骨組であり、所定の形状を有し、前方にトラクタ（図示せず）と連結されて牽引されるトラクタ連結部１５０を備える。メインフレーム１００は鋼鉄から製作されるのが一般的であり、前記トラクタ連結部１５０と一体に溶接されてなる。トラクタ連結部１５０は、図示はしないが、トラクタの後方と連結されてトラクタの前方移動と共にメインフレーム１００を移動させるための連結杆の役割を果たす。前記トラクタ連結部１５０及びメインフレーム１００は、各種の構成要素やトラクタとの結合関係に応じてその形状が異なってくる。
【００２８】
犂体部２００は、実質的に、犂耕作業、すなわち、圃場土を掘り起こして反転させる役割を果たすものであり、図１に示すように、複数が備えられてそれぞれシェア２１０とはつ土板２２０から構成され、前記メインフレーム１００に配設される。犂体部２００は、図示の如く、８個からなる８連プラウ装置から構成されてもよい。シェア２１０は、圃場土を掘り起こすようにシャベル状に製作され、はつ土板２２０は前記シェア２１０上に斜めに付け加えられた刃状であって、シェア２１０により掘り起こされて移行された圃場土を受けて一方の側に堆積させる。すなわち、犂体部２００はシェア２１０とはつ土板２２０の方向によって掘り起こして移行させた圃場土を堆積させる。
【００２９】
本発明の第１実施形態によるトラクタ用のプラウ装置は、大面積の圃場を効率よく犂耕するために前記犂体部２００がメインフレーム１００にバランスよく配設され、連続的で且つ能率的な作業が行われるように掘り起こされて移行された圃場土が一側方向にのみ堆積しないように複数の犂体部２００のそれぞれのシェア２１０及びはつ土板２２０の方向性を決定しようとする。
【００３０】
すなわち、図１に示すように、前記複数の犂体部２００のそれぞれは前記メインフレーム１００の前後長手方向に沿って側面に斜めに配置されることにより、犂体部２００が圃場土を掘り起こして移行させるときに発生する側力を長手方向に沿って一概に分散させることができる。
【００３１】
また、前記複数の犂体部２００のうち最前方の犂体部は前記メインフレーム１００の前端から突出され、前記メインフレーム１００を眺める方向にシェア２１０とはつ土板２２０が形成され、前記複数の犂体部２００のうち最前方の犂体部を除く残りの犂体部は前記最前方の犂体部とは逆方向にシェアとはつ土板が形成されることにより、図２に示すように、圃場の前後を往復しながら連続作業を容易に行うことができる。
【００３２】
図３から図７は、本発明によるトラクタ用のプラウ装置の第２実施形態を示す図であって、図３は、本発明の第２実施形態によるトラクタ用のプラウ装置の好適な実施形態を示す斜視図であり、図４は、図３の駆動シリンダ及び緩衝シリンダに油圧ラインが連結された状態を示す構成図であり、図５から図７は、作動過程を示す構成図である。そして、図８は、緩衝シリンダの他の形態を示す図である。
【００３３】
本発明によるトラクタ用のプラウ装置の第２実施形態は、図３から図７に示すように、第１実施形態のメインフレーム１００、犂体部２００、駆動シリンダ３００に油圧ライン４００、４１０、緩衝シリンダ５００及び緩衝バネ５２０を備えてなり、連結ロッド５３０及びガイドレール５４０をさらに備えていてもよい。
【００３４】
犂体部２００は複数が備えられてもよく、特に８個からなる８連プラウ装置から構成されてもよい。犂体部２００は、その個数に応じて、側力の影響が少ない場合にはメインフレーム１００に左右一列に配設されてもよく、千鳥状に配設されてもよく、図示の如く、斜め方向に配設されてもよい。それぞれの犂体部２００はメインフレーム１００に上下回動自在に配設され、シェア及びはつ土板から構成される。
【００３５】
駆動シリンダ３００は複数が備えられて前記犂体部２００のそれぞれを上下回動させる。すなわち、本発明の第２実施形態によるプラウ装置がトラクタにより移動時には駆動シリンダ３００を作動させて犂体部２００を上方に回動させて持ち上げ、犂耕作業時には犂体部２００を下方に回動させて下降させる。このような駆動シリンダ３００は、油圧を用いた油圧シリンダであり、犂体部２００の上下回動のために直線往復運動する復動シリンダである。前記駆動シリンダ３００は、油圧の出入りにより作動され、油圧の出入りのために一対の油圧ライン４００、４１０が配設される。
【００３６】
一対の油圧ライン４００、４１０は、図４から図７に示すように、前記駆動シリンダ３００のそれぞれを直線往復運動させる油圧を提供する。図示はしないが、油圧ライン４００、４１０により油圧を提供して排出するために、当然のことながら、油圧モータ、ドレイン及び切り替え弁などが備えれてもよい。前記複数の駆動シリンダ３００は犂体部２００の上方回動及び下方回動のための油圧ライン４００、４１０の一対がそれぞれ前後端に連結される。これにより、油圧ライン４００、４１０から油圧が駆動シリンダ３００に提供されることにより、駆動シリンダ３００が直線往復運動する結果、犂体部２００は上下回動することができる。
【００３７】
本発明の第２実施形態によるトラクタ用のプラウ装置は、図５から図８に示すように、複数の犂体部２００のいずれかへの岩石による過負荷発生時に衝撃を緩和させて装置の破損防止及び作業能率の向上を両立させるところに特徴があり、これは、後述する緩衝シリンダ５００及び緩衝バネ５２０により実現可能である。
【００３８】
緩衝シリンダ５００は、一方の端が前記メインフレーム１００に固設され、他方の端にピストンロッド５１０が内外に挿抜されるようにスライド自在に装着され、前記一対の前端及び後端の油圧ライン４００、４１０を前端及び後端にそれぞれ共有して直線往復運動する。緩衝シリンダ５００もまた駆動シリンダ３００と同様に油圧シリンダであると共に復動シリンダであり、前記複数の駆動シリンダ３００と前後端油圧ライン４００、４１０を共有して油圧ライン４００、４１０から油圧が提供されると、駆動シリンダ３００と一緒に直線往復運動する。
【００３９】
また、緩衝バネ５２０は、一方の端が前記メインフレーム１００に固設され、他方の端が前記ピストンロッド５１０の先端と連結されて前記ピストンロッドのスライド作動に応じて伸縮する。すなわち、緩衝バネ５２０は、緩衝シリンダ５００の直線往復運動時に伸縮することにより、緩衝シリンダ５００に伝わる圧力を吸収したり発散するように構成される。
【００４０】
前記緩衝シリンダ５００及び緩衝バネ５２０の作動を図５から図７に基づき詳述する。先ず、図５に示すように、犂耕作業時に前端油圧ライン４００を介して油圧が駆動シリンダ３００に伝達されて作動すると、犂体部２００は下方回動をする。すなわち、犂体部２００は、下方回動された状態で犂耕作業を行い、トラクタによりプラウ装置が牽引されながら犂体部２００が圃場土を掘り起こして犂耕作業を行う。しかしながら、犂耕作業時に圃場土中には作業者も発見できない岩石が打ち込まれている場合もあり、犂体部２００は下方回動された状態で犂耕作業を行うため、犂体部２００の先端に岩石が引っ掛かってしまう。もし、犂体部２００が岩石に引っ掛かって上方に持ち上げられない場合、犂体部２００を構成するシェアやはつ土板が破損される恐れがある。このとき、緩衝シリンダ５００もまた駆動シリンダ３００と同様に前端油圧ライン４００から油圧が提供されて緩衝シリンダ５００のピストンロッド５１０が内部に挿入されるが、緩衝バネ５２０の弾性力により設定された圧力に見合う分だけピストンロッド５１０が滑り込む。
【００４１】
図６に示すように、岩石に引っ掛かった犂体部２００は岩石により上方に回動され、上方に回動された犂体部２００の駆動シリンダ３００は最初の位置に戻りながら、前端油圧ライン４００を介して油圧が逆流し、前端油圧ライン４００に過負荷がかかってしまう。このとき、逆流した油圧は緩衝シリンダ５２０に伝わって緩衝シリンダ５００のピストンロッド５１０が内部に挿入され、ピストンロッド５１０のスライド作動によって緩衝バネ５２０は圧縮されながら岩石による過度な圧力を吸収する。
【００４２】
また、緩衝バネ５２０の後端に連結された後端の油圧ライン４１０にはピストンロッド５１０のスライド作動により油圧が流出されて駆動シリンダ３００の後端に流入する。
【００４３】
図７に示すように、岩石により上方に回動された犂体部２００が岩石を乗り越えた場合、緩衝バネ５２０に吸収された過度な圧力が解消され、これにより、緩衝バネ５２０は引っ張られながら、緩衝シリンダ５００のピストンロッド５１０を外部に突出させる。緩衝シリンダ５００のピストンロッド５１０が突出されるに伴い、緩衝シリンダ５００に伝わった油圧は前端油圧ライン４００を介してさらに上方に回動された犂体部２００を回動させる駆動シリンダ３００に伝わり、上方に回動された犂体部２００は下方に回動されて犂耕作業を行い続けることが可能になる。
【００４４】
このとき、作動シリンダ３００の後端にある油圧は後端油圧ライン４１０を介してさらに緩衝シリンダ５００の後端に伝わる。
【００４５】
上記のように作動する緩衝シリンダ５００及び緩衝バネ５２０は、メインフレーム１００に配設されて単に複数の駆動シリンダ３００に連結された油圧ライン４００、４１０だけを共有すればよいため、設置が容易である。複数の犂体部２００の全体に対して同時に適用することができる。前記緩衝バネ５２０は１本であってもよく、それ以上であってもよく、緩衝シリンダ５００と相対するように配設されてもよい。このため、緩衝バネ５２０の緩衝力やサイズ及び長さと一緒に設置空間を考慮して適切に配設される必要がある。例えば、図４から図７に示すように、緩衝バネ５２０は一対が備えられて前記緩衝シリンダ５００の左右に平行に配列可能である。この場合、前記緩衝シリンダ５００のピストンロッド５１０の先端と前記緩衝バネ５２０の他方の端を連結する連結ロッド５３０と、前記メインフレーム１００に配設され、前記連結ロッド５３０の両端をスライド自在にガイドするガイドレール５４０と、を備えることができる。連結ロッド５３０は緩衝バネ５２０と緩衝シリンダ５００のピストンロッド５１０を連結するためのものであり、ガイドレール５４０は前記ピストンロッド５１０をガイドして緩衝シリンダ５００のピストンロッド５１０及び緩衝バネ５２０が長手方向にのみスライド及び変形されるようにするためのものである。
【００４６】
このような緩衝シリンダ５００は、図８に示すように構成されて、外部の緩衝バネ５２０を省略することができるが、緩衝シリンダ５００の内部のピストンロッド５１０の後方にバネ５５０を挿入することにより外部に配設された緩衝バネ５２０の役割を代えることができる。
【００４７】
一方、このような第２実施形態は種々の形態に変更可能であるが、油圧ライン４００、４１０と緩衝ピストン５００を省略し、純粋に作動シリンダ３００により動作可能である。
【００４８】
すなわち、作動シリンダ３００の内部に犂体部２００が岩石により上方に回動された後にさらに元の位置に戻るような油圧を有する限り、敢えて油圧ライン４００、４１０により外部から油圧を供給されなくても、本発明の第２実施形態を実現することができる。
【００４９】
また、緩衝シリンダ５００が配設される場合、後端油圧ライン４１０と緩衝バネ５２０を省略し、前端の油圧ライン４００を介して作動シリンダ３００から逆流する油圧を緩衝シリンダ５００に貯蔵し、この後、さらに前端の油圧ライン４００を介して油圧を再供給することにより作動シリンダ３００を動作させることができる。
【００５０】
このとき、緩衝シリンダ５００にはバネ５５０が内蔵されてもよいが、本発明はこれに限定されない。
【００５１】
図９から図１５は、本発明によるトラクタ用のプラウ装置の第３実施形態を示す図であって、図９は、本発明によるトラクタ用のプラウ装置の第３実施形態を示す斜視図であり、図１０及び図１１は、作動過程を示す側面図であり、図１２は、本発明の第３実施形態のトラクタ用のプラウ装置の第３−１実施形態を示す斜視図であり、図１３は、本発明の第３実施形態によるトラクタ用のプラウ装置の第３−２実施形態を示す斜視図であり、図１４及び図１５は、図１３の作動過程を示す側面図である。
【００５２】
本発明のトラクタ用のプラウ装置は、図９から図１１に示すように、第１実施形態の構成であるメインフレーム１００と犂体部２００に第１支持リンク６１０、第１車輪６２０、第１シリンダ６３０を備え、図１２から図１５に示すように、第２支持リンク７１０、第２車輪７２０、第２シリンダ７３０及び連結リンク８００をさらに備えていてもよい。
【００５３】
前記メインフレーム１００及び犂体部２００はトラクタに連結されてトラクタの前方移動によって犂耕作業を行うが、このとき、メインフレーム１００の高さを調節することにより犂体部２００が土中に掘り込まれる作業高さを調節することができる。このような犂体部２００の作業高さを容易に調節するために、後述する第１支持リンク６１０、第１車輪６２０及び第１シリンダ６３０を配設する。
【００５４】
第１支持リンク６１０は、図９から図１１に示すように、前記メインフレーム１００の一方の側に回動自在に配設され、第１車輪６２０は前記第１支持リンク６１０の下端に回転自在に設けられ、第１シリンダ６３０は一方の端が前記メインフレーム１００にピン結合され、他方の端が前記第１支持リンク６１０の上端にピン結合されて前記第１支持リンク６１０を回動させる。すなわち、第１支持リンク６１０の下端に回転自在に結合された第１車輪６２０によりメインフレーム１００は圃場から離れたままで支持され、メインフレーム１００の離隔高さに応じて犂体部２００の作業深さが定まる。このため、第１車輪６２０を昇降させることによりメインフレーム１００の離隔高さを調節することができ、その結果、犂体部２００の作業深さも調節される。このとき、第１支持リンク６１０はメインフレーム１００に回動自在に結合されており、第１支持リンク６１０の上端にピン結合された第１シリンダ６３０を駆動させて第１支持リンク３１０を回動させることができる。第１シリンダ６３０の駆動により第１支持リンク６１０が回動されることにより、第１支持リンク６１０の下端に回転自在に結合された第１車輪６２０がメインフレーム１００に対して昇降される。
【００５５】
図１２に示すように、本発明によるトラクタ用のプラウ装置は、第２支持リンク７１０、第２車輪７２０及び第２シリンダ７３０をさらに備えることもできる。すなわち、メインフレーム１００に対して一方の側及び他方の側にそれぞれ別々に高さを調節できるようにして圃場の傾斜度や土壌の状態に応じて犂体部２００の作業深さを異ならせることができる。このとき、第１支持リンク７１０は前記メインフレーム１００の他方の側に回動自在に配設され、第２車輪７２０は前記第２支持リンク７１０の下端に回転自在に設けられ、第２シリンダ７３０は一方の端が前記メインフレーム１００にピン結合され、他方の端が前記第２支持リンク７１０の上端にピン結合されて前記第２支持リンク７１０を回動させる。前記第２支持リンク７１０、第２車輪７２０及び第２シリンダ７３０の構成及び作動過程は、第１支持リンク６１０、第１車輪６２０及び第１シリンダ６３０とメインフレーム１００の一方の側及び他方の側に配設されたことを除いては同様であるため、その詳細な説明は省く。
【００５６】
一方、図１３から図１５に示すように、第２シリンダ７３０を省略し、第１支持リンク６１０と第２支持リンク６１０の上端を連結する連結リンク８００を介して第１シリンダ６３０の駆動だけで第１支持リンク６１０及び第２支持リンク７１０を回動させて第１車輪６２０及び第２車輪７２０を一緒に昇降させることもできる。すなわち、第１シリンダ６３０の駆動により第１支持リンク６１０が回動され、第１支持リンク６１０と連結された連結リンク８００に回動力が伝わると共に、第２支持リンク７１０もまた回動される。このとき、第１支持リンク６１０の下端に配設された第１車輪６２０及び第２支持リンク７１０の下端に配設された第２車輪７２０が昇降してメインフレーム１００の全体の高さが一緒に調節可能である。すなわち、連結リンク８００は一方の端が前記第１支持リンク６１０の上端にピン結合され、他方の端が前記第２支持リンク７１０の上端にピン結合されることにより、第１支持リンク６１０と第２支持リンク７１０を連結して一緒に回動させることができる。
【００５７】
このような第３実施形態による本発明のトラクタ用のプラウ装置は、特に、広い大面積の平らな圃場の犂耕作業に用いて好適である。
【符号の説明】
【００５８】
１００：メインフレーム
１５０：トラクタ連結部
２００：犂体部
２１０：シェア
２２０：はつ土板
３００：駆動シリンダ
４００：油圧ライン
５００：緩衝シリンダ
５１０：ピストンロッド
５２０：緩衝バネ
５３０：連結ロッド
５４０：ガイドレール
６１０：第１支持リンク
６２０：第１車輪
６３０：第１シリンダ
７１０：第２支持リンク
７２０：第２車輪
７３０：第２シリンダ
８００：連結リンク
【図１】
2010099071.tif 000003
【図２】
2010099071.tif 000004
【図３】
2010099071.tif 000005
【図４】
2010099071.tif 000006
【図５】
2010099071.tif 000007
【図６】
2010099071.tif 000008
【図７】
2010099071.tif 000009
【図８】
2010099071.tif 000010
【図９】
2010099071.tif 000011
【図１０】
2010099071.tif 000012
【図１１】
2010099071.tif 000013
【図１２】
2010099071.tif 000014
【図１３】
2010099071.tif 000015
【図１４】
2010099071.tif 000016
【図１５】
2010099071.tif 000017